(57)【要約】  【課題】  左右に傾ける首振り操作が容易にかつ確実に実行できる操作性にすぐれた壁掛け取り付け台を提供する。  【解決手段】  壁面に固定されて上辺と下辺の左右端それぞれに連結孔が穿設された基台１と、基台１の前方に配置されて上辺と下辺の左右端の一方に連結孔が穿設されるとともに上辺と下辺の左右端の他方に左右方向に長い長孔が穿設された可動台２と、基端が前記基台の上辺と下辺の左右端の一方の連結孔に回動自在に連結され先端が前記可動台の上辺と下辺の左右端の他方の長孔に回動および摺動自在に連結された上下１対からなる第１のリンク３と、基端が前記基台の上辺と下辺の左右端の他方の連結孔に回動自在に連結され先端が前記可動台の上辺と下辺の左右端の一方の連結孔に回動自在に連結された上下１対からなる第２のリンク４と、可動台２の前面に形成された機器取り付け部とを備える。【選択図】  図９
2006148504.tif 000002
【特許請求の範囲】
【請求項１】
金属板の上下端を前方に折曲し、該折曲された上下辺の左右両端部の上下辺で対向する位置に連結孔が穿設されて壁面に固定される基台と、
金属板の上下端を前記基台方向に折曲し、該折曲された上下辺の左右端部の一方の上下辺で対向する位置に連結孔が穿設されるとともに、上下辺の左右端部の他方の上下辺で対向する位置に長孔が穿設されて前記基台の前方に配置される可動台と、
一端が前記基台の上辺と下辺の左右端の一方の連結孔に連結ピンを介して回動自在に連結され他端が前記可動台の上辺と下辺の左右端の他方の長孔に連結ピンを介して回動および摺動自在に連結された上下１対からなる第１のリンクと、
一端が前記基台の上辺と下辺の左右端の他方の連結孔に連結ピンを介して回動自在に連結され他端が前記可動台の上辺と下辺の左右端の一方の連結孔に連結ピンを介して回動自在に連結された上下１対からなる第２のリンクと、
前記可動台の前面に形成された機器取り付け部と、
を備え、前記可動台は前記第１および第２のリンクを介して壁面との角度調整を可能に前記基台に支持されたことを特徴とする壁掛け取り付け台。
【請求項２】
請求項１に記載の壁掛け取り付け台において、
前記第１のリンクの前記可動台との連結部近傍を上下一体に連結する第１のスティと、
前記第２のリンクの前記可動台との連結部近傍を上下一体に連結する第２のスティと、
ばね材により形成されて一端部が前記基台の前面に固着され他端側に前記第１のスティが前記基台に最接近した状態で前記第１のスティが係脱自在に係合される係合部を形成した第１の保持ばねと、
ばね材により形成されて一端部が前記基台の前面に固着され他端側に前記第２のスティが前記基台に最接近した状態で前記第２のスティが係脱自在に係合される係合部を形成した第２の保持ばねと、
を備え、前記可動台が前記基台に最接近した状態から一方の連結ピンを回転軸として一方向に開かれる際に、前記第１のスティを第１の保持ばねに係合保持し、前記可動台が前記基台に最接近した状態から他方の連結ピンを回転軸として一方向に開かれる際に、前記第２のスティを第２の保持ばねに係合保持して、前記可動台の回転軸となる側が端部から離間することを阻止することを特徴とした壁掛け取り付け台。
【請求項３】
請求項１または２に記載の壁掛け取り付け台において、
前記基台は板金の上下端を前方に折曲して形成し該折曲部に連結孔を穿設し、前記可動台は板金の上下端を後方に折曲して形成し該折曲部に連結孔および長孔を穿設し、前記第１および第２のリンクを前記折曲部の内側に軸支したことを特徴とする壁掛け取り付け台。
【請求項４】
請求項３に記載の壁掛け取り付け台において、
前記基台の折曲部に前記第１および第２のスティとの干渉を避けるための切欠きを形成したことを特徴とする壁掛け取り付け台。
【請求項５】
請求項１乃至４のいずれかに記載の壁掛け取り付け台において、
前記第１および第２のリンクを板材により形成し、該リンクの基端側に前記第１および第２のスティとの干渉を避けるための切欠きを形成したことを特徴とする壁掛け取り付け台。
【請求項６】
請求項１乃至５のいずれかに記載の壁掛け取り付け台において、
前記可動台の前面に該可動台面との角度調整を可能にする回動機構を介して第２の可動台を装着したことを特徴とする壁掛け取り付け台。
【発明の詳細な説明】
【技術分野】
【０００１】
本発明は、テレビ等を壁面に取り付けて、テレビ等の角度調整を可能とする壁掛け取り付け台に関する。
【背景技術】
【０００２】
従来の液晶テレビ等の薄型表示装置を壁面に取り付ける場合に、表示装置を左右に傾ける、すなわち首振りを可能にしようとすると、専用の取り付け台を必要とした。従来の首振り用の取り付け台としては、特許文献１に記載の「テレビ受像機等の支持装置」や、特許文献２に記載の「壁掛けテレビ取り付け装置」があった。特許文献１に記載のものは、テレビの背面と壁面との間に、球形自在ヒンジと摩擦抵抗を有する伸縮リンクとを介在させてテレビの上下左右の首振りを可能にしたものである。特許文献２に記載のものは、テレビの背面と壁面との間に、２本のリンクを自在継ぎ手で連結した棒を左右対称に取り付けて、テレビの上下左右の首振りを可能にしたものである。
【特許文献１】特開平８−９８１１６号公報
【特許文献２】実用新案登録第３０６６６００号公報
【発明の開示】
【発明が解決しようとする課題】
【０００３】
上述した特許文献１に記載の「テレビ受像機等の支持装置」は、球形自在ヒンジの部分でテレビの重量を支えるようしたため、球形自在ヒンジの回動抵抗を大きく設定しなければならず、首振りの操作をするとき大きな力を必要とした。特に、下向きの状態から上方へ傾けようとすると、テレビの重量分も抵抗となり、操作性がよくなかった。
また、特許文献２に記載の「壁掛けテレビ取り付け装置」は、左右の棒の開閉量の大小により、テレビの方向を調節する構造であるため、棒の中間の自在継ぎ手の回動抵抗を大きく設定しなければならず、首振りの操作をするとき大きな力を必要とした。また、棒が完全に伸びきって一直線となった場合に、その状態から棒を折り曲げようとすると多大な力を有する場合があり、使い勝手が悪かった。また、前記両方とも、左右方向の首振り操作をしたい場合も、上下方向の首振りが伴うことになり、操作性が極めて悪いという問題があった。そこで、本発明は、左右に傾ける首振り操作が容易にかつ確実に実行できる操作性にすぐれた壁掛け取り付け台を提供することを目的とした。
【課題を解決するための手段】
【０００４】
上記課題を解決するために、本発明は、金属板の上下端を前方に折曲し、該折曲された上下辺の左右両端部の上下辺で対向する位置に連結孔が穿設されて壁面に固定される基台と、金属板の上下端を前記基台方向に折曲し、該折曲された上下辺の左右端部の一方の上下辺で対向する位置に連結孔が穿設されるとともに、上下辺の左右端部の他方の上下辺で対向する位置に長孔が穿設されて前記基台の前方に配置される可動台と、一端が前記基台の上辺と下辺の左右端の一方の連結孔に連結ピンを介して回動自在に連結され他端が前記可動台の上辺と下辺の左右端の他方の長孔に連結ピンを介して回動および摺動自在に連結された上下１対からなる第１のリンクと、一端が前記基台の上辺と下辺の左右端の他方の連結孔に連結ピンを介して回動自在に連結され他端が前記可動台の上辺と下辺の左右端の一方の連結孔に連結ピンを介して回動自在に連結された上下１対からなる第２のリンクと、
前記可動台の前面に形成された機器取り付け部とを備え、前記可動台は前記第１および第２のリンクを介して壁面との角度調整を可能に前記基台に支持されたことを特徴とする。
【０００５】
また、本発明は、前記壁掛け取り付け台において、前記第１のリンクの前記可動台との連結部近傍を上下一体に連結する第１のスティと、前記第２のリンクの前記可動台との連結部近傍を上下一体に連結する第２のスティと、ばね材により形成されて一端部が前記基台の前面に固着され他端側に前記第１のスティが前記基台に最接近した状態で前記第１のスティが係脱自在に係合される係合部を形成した第１の保持ばねと、ばね材により形成されて一端部が前記基台の前面に固着され他端側に前記第２のスティが前記基台に最接近した状態で前記第２のスティが係脱自在に係合される係合部を形成した第２の保持ばねと  を備え、前記可動台が前記基台に最接近した状態から一方の連結ピンを回転軸として一方向に開かれる際に、前記第１のスティを第１の保持ばねに係合保持し、前記可動台が前記基台に最接近した状態から他方の連結ピンを回転軸として一方向に開かれる際に、前記第２のスティを第２の保持ばねに係合保持して、前記可動台の回転軸となる側が端部から離間することを阻止することを特徴とする。
【０００６】
なお、前記基台は板金の上下端を前方に折曲して形成し該折曲部に連結孔を穿設し、前記可動台は板金の上下端を後方に折曲して形成し該折曲部に連結孔および長孔を穿設し、前記第１および第２のリンクを前記折曲部の内側に軸支することが好ましい。
また、前記基台の折曲部に前記第１および第２のスティとの干渉を避けるための切欠きを形成することも可能である。
さらに、前記第１および第２のリンクを板材により形成し、該リンクの基端側に前記第１および第２のスティとの干渉を避けるための切欠きを形成することも可能である。
また、前記可動台の前面に該可動台面との角度調整を可能にする回動機構を介して第２の可動台を装着することも可能である。
【発明の効果】
【０００７】
以上述べたように本発明によれば、壁面に固定される基台とテレビ等が取り付けられる可動台との間に、水平面内で作動するリンクを上下それぞれに設けたことで、可動台は基台に確実に支持された状態で水平方向の首振りが可能となり、快適な操作性が得られる。特に、堅牢なリンク機構により可動台が支持されているため、可動台に取り付けられたテレビ等の重量が首振り操作に直接影響することがなくなり、使い勝手が向上する。
【発明を実施するための最良の形態】
【０００８】
以下、図に基づいて本発明の実施形態を説明する。
図１は本発明に係る壁掛け取り付け台の外観を示す。壁掛け取り付け台は、壁面に取り付けられる基台１と、テレビ等が取り付けられる可動台２と、基台１の左端と可動台２の右端を連結する上下１対の左リンク３と、基台１の右端と可動台２の左端を連結する上下１対の右リンク４と、上下の左リンク３の先端部を互いに連結して一体化する右スティ５と、上下の右リンク４の先端部を互いに連結して一体化する左スティ６と、基台１の前面の左右に取り付けられて可動台２が基台１に最接近した状態で左右のスティ５，６を係合保持する左保持ばね７および右保持ばね８と、左右のリンク３，４と基台１および可動台２とを連結する連結ピン９から構成されている。
【０００９】
図２は図１の基台１を示す。基台１は、矩形状の金属板の上下端を前方に折曲して断面コ字形に形成されている。基台１の壁面に対向する面には、壁面取り付け用の取り付け孔１１，１２等が穿設されている。上下の折曲部には、左リンク３および右リンク４を連結するための連結孔１３，１４が穿設されるとともに、可動台２が基台１に最接近した状態で左右のスティ５，６が基台１に干渉することを回避するための切欠き１５，１６が形成されている。
【００１０】
図３は図１の可動台２を示す。可動台２は、金属板の上端と下端の両側を後方に折曲し、下端の中間部を下方へ延設してから前方へ折曲して形成されている。前面上端には、係止板２１，２２がリベットにより取り付けられている。上下の折曲部の左側には右リンク４の先端を連結するための連結孔２３が穿設され、右側には左リンク３の先端を連結するための長孔２４が穿設されている。この可動台２の前面には、テレビ等の機器が直接取り付けられる場合と、後述するチルト機構１０を介してテレビ等の機器が取り付けられる場合がある。
【００１１】
図４は図１の左リンク３を示す。左リンク３は金属板から形成され、右端が斜め右方向へ突出した形状をしている。左リンク３の左端に基台１の連結孔１３に連結ピンを介して連結するための連結孔３１が穿設され、右端に可動台２の長孔２４に連結ピン９を介して連結するための連結孔３２が穿設され、さらに、連結孔３２より斜め左方向の位置に右スティ５を固定するためのビス孔３３が形成され、また、左端の連結孔３１のやや右方の片側には、可動台２が基台１に最接近した状態で左スティ６が左リンク３に干渉することを回避するための切欠き３４が形成されている。なお、右リンク４は、左リンク３と同一形状であり、取り付け時に左リンク３に対して左右対称に取り付けられるものであるので、図示および説明を省略する。
【００１２】
図５は図１の連結ピン９を示す。連結ピン９は先端の細い径の部分に雄ねじが形成されて、そこへナットを螺着して抜け止めとしている。なお、左右の各リンク３，４が基台１および可動台２に連結される際は、互いが交差するため、それぞれリンク３，４の板厚分ずらさなければならず、そのために、連結ピン９にはリンク３，４の板厚と同等の厚みをしたスピーサが挟まれる。
【００１３】
図６は図１の右スティ５を示す。右スティ５は丸棒の両端にタップ加工が施されており、上下１対の左リンク３のビス孔３３の間に挟み込んだ状態でビス止めされる。この右スティ５により上下の左リンク３を一体化することで、リンク３の剛性が高められて、リンク３の開閉動作も確実になる。なお、可動台２が基台１に最接近した状態では、右スティ５は右リンク４の切欠き４４内および基台１の切欠き１６内に位置しているとともに、右スティ５は右保持ばね８に係合して、その位置に保持される。なお、左スティ６は、右スティ５と同一形状であり、取り付け時に右スティ５に対して左右対称に右リンク４に取り付けられるものであるので、図示および説明を省略する。
【００１４】
図７は図１の右保持ばね８を示す。右保持ばね８は、ばね板をＬ形に折曲して形成され、基端部に取り付け用のビス孔８１が穿設されて、基台１の右側部分であって可動台２が基台１に最接近した状態での右スティ５の投影位置にビス止めされる。右保持ばね８の先端側は、Ｎ字またはＷ字形に折曲されて、先端の斜めに傾斜した部分８２が、基台１側に近づいてきた右スティ５に当接される。さらに、右スティ５が近づいてきたとき、右スティ５は、傾斜部分８２を乗り越えて、基台１側に最接近した状態で、窪み部分８３に納まる。
【００１５】
このようにして、右スティ５が右保持ばね８の窪み部分８３に係合することで、可動台２をその右端を中心にして右方向へ傾けたとき、右端が基台１側に保持されて、可動台２を確実に右方向へ傾けることを可能にする。また、反対に可動台２をその左端を中心にして左方向へ傾けたときは、最初に、右スティ５が右保持ばね８の係合から解除されるため、傾ける動作の障害になることはない。なお、左保持ばね７は、右保持ばね８と同一形状であり、取り付け時に右保持ばね８に対して左右対称に取り付けられるものであるので、図示および説明を省略する。
【００１６】
次に、本発明に係る壁掛け取り付け台の使用方法について説明する。図８〜図１２は、上述した壁掛け取り付け台に、薄型テレビを取り付けた使用状態を示す平面図である。図８は、基台１を図示しない壁面に固定してから、可動台２の前面に上下方向の回動を可能にするチルト機構１０を介して、薄型テレビ２０を取り付けたものであり、薄型テレビ２０は左右方向中心すなわち正面を向いている。この状態は、可動台２が基台１側に最接近して、左右のスティ５，６が左右の保持ばね７，８にそれぞれ係合された最も安定した状態である。
【００１７】
図９は、図８の状態から薄型テレビ２０を水平方向右側に３０度傾けた状態を示す。図８の状態で薄型テレビ２０の左端に手をかけて手前に引き寄せると、左スティ６と左保持ばね７との係合が外れて、可動台２が右方向すなわち反時計方向に回動する。このとき、左リンク３の先端連結部は、可動台２の長孔２４内を左方向へ移動する。また、このとき、右スティ５が右保持ばね８に係合されたままで、可動台２の右端が基台１から離間することが阻止される。
【００１８】
図１０は、図９の状態からさらに可動台２が右方向すなわち反時計方向に回動した最終位置である。図示例では正面位置から６０度右側に傾いている状態である。このとき、左リンク４の先端連結部は、可動台２の長孔２４内の最も左の位置に移動している。
【００１９】
図１１は、図８の状態から薄型テレビ２０を水平方向左側に３０度傾けた状態を示す。図８の状態で薄型テレビ２０の右端に手をかけて手前に引き寄せると、右スティ５と右保持ばね８との係合が外れて、可動台２が左方向すなわち時計方向に回動する。このとき、左リンク３の先端連結部は、可動台２の長孔２４内を左方向へ移動する。また、このとき、左スティ６が左保持ばね７に係合されたままで、可動台２の左端が基台１から離間することが阻止される。
【００２０】
図１２は、図１１の状態からさらに可動台２が左方向すなわち時計方向に回動した最終位置である。図示例では正面位置から６０度左側に傾いている状態である。このとき、左リンク３の先端連結部は、可動台２の長孔２４内の最も左の位置に移動している。なお、このようにして左右方向の角度を調整したら、可動台２と薄型テレビ２０との間のチルト機構１０を作動させて、上下方向の角度を調節することも可能である。
【産業上の利用可能性】
【００２１】
本発明は、薄型テレビの左右方向の向きを調節する以外には、ブラウン管テレビや、他の指向性を有する電子機器の取り付けにも利用可能である。
【図面の簡単な説明】
【００２２】
【図１】本発明に係る壁掛け取り付け台を示す外観図ある。
【図２】図１の基台を示す外観図である。
【図３】図１の可動台を示す外観図である。
【図４】図１の左リンクを示す外観図である。
【図５】図１の連結ピンを示す外観図である。
【図６】図１の右スティを示す外観図である。
【図７】図１の右保持ばねを示す外観図である。
【図８】壁掛け取り付け台に薄型テレビを取り付けた使用状態を示す平面図である。
【図９】壁掛け取り付け台に薄型テレビを取り付けた使用状態を示す平面図である。
【図１０】壁掛け取り付け台に薄型テレビを取り付けた使用状態を示す平面図である。
【図１１】壁掛け取り付け台に薄型テレビを取り付けた使用状態を示す平面図である。
【図１２】壁掛け取り付け台に薄型テレビを取り付けた使用状態を示す平面図である。
【符号の説明】
【００２３】
１  基台
２  可動台
３  左リンク
４  右リンク
５  右スティ
６  左スティ
７  左保持ばね
８  右保持ばね
９  連結ピン
１０  チルト機構
１１，１２  取り付け孔
１３，１４  連結孔
１５，１６  切欠き
２０  薄型テレビ
２１，２２  係止板
２３  連結孔
２４  長孔
３１，３２  連結孔
３３  ビス孔
３４  切欠き
４４  切欠き
８１  ビス孔
８２  傾斜部分
８３  窪み部分
【図１】
2006148504.tif 000003
【図２】
2006148504.tif 000004
【図３】
2006148504.tif 000005
【図４】
2006148504.tif 000006
【図５】
2006148504.tif 000007
【図６】
2006148504.tif 000008
【図７】
2006148504.tif 000009
【図８】
2006148504.tif 000010
【図９】
2006148504.tif 000011
【図１０】
2006148504.tif 000012
【図１１】
2006148504.tif 000013
【図１２】
2006148504.tif 000014